(57)【特許請求の範囲】
【請求項１】
複数の構成ユニットを所定方向に当接するように配設して本体部を構成し、
前記構成ユニットは、無垢材で形成された表面材及び裏面材を有し、
この表面材と裏面材間で、かつ、構成ユニットの配設方向の両側部には、表面材及び裏面材の反りを抑止する第１反り抑止材を設け、
表面材と裏面材間で、かつ、前記第１反り抑止材間に芯材を設け、
前記第１反り抑止材と前記芯材には、その前記配設方向全体に亘って挿入空間が形成され、この挿入空間は、前記配設方向と直交する方向に適宜間隔を有して複数形成され、
前記本体部において、前記配設方向に連通する全ての挿入空間に亘って、表面材及び裏面材の反りを抑止する第２反り抑止材を挿入したことを特徴とする家具用パネル。
【請求項２】
前記第２反り抑止材は、前記挿入空間内に遊嵌して設けられていることを特徴とする請求項１記載の家具用パネル。
【請求項３】
前記第１反り抑止材と第２反り抑止材は、単板積層材で構成されていることを特徴とする請求項１又は２記載の家具用パネル。
【請求項４】
前記家具用パネルは、テーブル又は机の天板であることを特徴とする請求項１又は２又は３記載の家具用パネル。
【請求項５】
無垢材で形成され、かつ、長方形状に形成された表面材及び裏面材と、
この表面材と裏面材間で、かつ、表面材の短手方向の両側部に設けられ、表面材及び裏面材の反りを抑止する第１反り抑止材と、
表面材と裏面材間で、かつ、該第１反り抑止材間に設けた芯材とを備え、
前記第１反り抑止材と前記芯材には、前記短手方向全体に亘って挿入空間が、長手方向に適宜間隔を有して複数形成された、構成パネルを複数形成した後に、
この複数の構成パネルを前記短手方向に当接するように配設して本体部を形成し、
前記本体部において、前記配設方向に連通する全ての挿入空間に亘って、表面材及び裏面材の反りを抑止する第２反り抑止材を挿入することを特徴とする家具用パネルの製造方法。
【発明の詳細な説明】
【技術分野】
【０００１】
本発明は、テーブルや机の天板、扉、パーテイション等に用いることができる家具用パネル及びその製造方法に関する。
【背景技術】
【０００２】
近年、テーブルや机の天板などを軽量化するために、天板の内部に芯材を設け、この芯材の表面に化粧板を設けたものが知られている（例えば、特許文献１参照）。
【先行技術文献】
【特許文献】
【０００３】
【特許文献１】特開２００２−３５７号公報
【発明の概要】
【発明が解決しようとする課題】
【０００４】
上記従来技術の天板の美感や質感を向上させるために、化粧板として１枚板からなる無垢材を使用しようとしても、１枚の無垢材の奥行幅方向の長さは、天板で必要とされる奥行き（妻手方向）の長さより短いことが多いために使用することが難しい。
【０００５】
そのため、従来技術の化粧板の代わりに合板や繊維板を用い、その表面に、突板や木目模様を印刷したものを張り、無垢材様の天板とすることが行われている。
【０００６】
しかし、突板や木目を印刷したものでは、無垢材のみで形成された天板と比較すると、美観や質感が劣るという問題がある。
【０００７】
そこで、本発明は、上記問題点を解決した、テーブルや机の天板等として使用する家具用パネル及びその製造方法を提案することを目的とするものである。
【課題を解決するための手段】
【０００８】
前記の課題を解決するために、請求項１記載の発明は、複数の構成ユニットを所定方向に当接するように配設して本体部を構成し、
前記構成ユニットは、無垢材で形成された表面材及び裏面材を有し、
この表面材と裏面材間で、かつ、構成ユニットの配設方向の両側部には、表面材及び裏面材の反りを抑止する第１反り抑止材を設け、
表面材と裏面材間で、かつ、前記第１反り抑止材間に芯材を設け、
前記第１反り抑止材と前記芯材には、その前記配設方向全体に亘って挿入空間が形成され、この挿入空間は、前記配設方向と直交する方向に適宜間隔を有して複数形成され、
前記本体部において、前記配設方向に連通する全ての挿入空間に亘って、表面材及び裏面材の反りを抑止する第２反り抑止材を挿入したことを特徴とする家具用パネルである。
【０００９】
請求項２記載の発明は、請求項１記載の発明において、前記第２反り抑止材は、前記挿入空間内に遊嵌して設けられていることを特徴とするものである。
【００１０】
請求項３記載の発明は、請求項１又は２記載の発明において、前記第１反り抑止材と第２反り抑止材は、単板積層材で構成されていることを特徴とするものである。
【００１１】
請求項４記載の発明は、請求項１又は２又は３記載の発明において、前記家具用パネルは、テーブル又は机の天板であることを特徴とするものである。
【００１２】
請求項５記載の発明は、無垢材で形成され、かつ、長方形状に形成された表面材及び裏面材と、
この表面材と裏面材間で、かつ、表面材の短手方向の両側部に設けられ、表面材及び裏面材の反りを抑止する第１反り抑止材と、
表面材と裏面材間で、かつ、該第１反り抑止材間に設けた芯材とを備え、
前記第１反り抑止材と前記芯材には、前記短手方向全体に亘って挿入空間が、長手方向に適宜間隔を有して複数形成された、構成パネルを複数形成した後に、
この複数の構成パネルを前記短手方向に当接するように配設して本体部を形成し、
前記本体部において、前記配設方向に連通する全ての挿入空間に亘って、表面材及び裏面材の反りを抑止する第２反り抑止材を挿入することを特徴とする家具用パネルの製造方法である。
【発明の効果】
【００１３】
本発明によれば、複数の構成ユニットを所定方向に配設して本体部を構成し、構成ユニットは、無垢材で形成された表面材及び裏面材を有し、配設方向の両側部に、表面材及び裏面材の反りを抑止する第１反り抑止材を設け、該第１反り抑止材間に芯材を設け、この第１反り抑止材と前記芯材に、その配設方向全体に亘って挿入空間を、配設方向と直交する方向に適宜間隔を有して複数形成し、本体部において、配設方向に連通する全ての挿入空間に亘って、表面材及び裏面材の反りを抑止する第２反り抑止材を挿入したことにより、表面材又は裏面材等として使用する無垢材の反りを抑制することができるために、隣接する表面材又は裏面材間に隙間等が生じにくく、家具用パネルの美観や質感が、上記従来技術の家具用パネルより向上し、無垢材のみを使用したものに近づけることができるとともに、家具用パネルを軽量化できる。
【図面の簡単な説明】
【００１４】
【図１】本発明の実施例に係るテーブルの斜視図。
【図２】図１の正面図。
【図３】本発明の実施例に用いる天板の部分断面斜視図。
【図４】図３の要部拡大図。
【図５】図３のＡ−Ａ線断面図。
【図６】本発明の実施例に用いる構成ユニットの横断面図。
【図７】図３の横断面図。
【発明を実施するための形態】
【００１５】
本発明を実施するための形態を図に基づいて説明する。
【００１６】
本発明の家具用パネルは、テーブルや机の天板、扉、パーテイション等に用いることができるもので、以下において、本発明の家具用パネルを図１に示すようなテーブルの天板に適用した実施例を基にして説明する。
【００１７】
図１，図２は、実施例に係るテーブルを示すもので、このテーブル１は家具用パネルである天板２と、天板２の下部に固設された一対の脚３，３で構成されている。
【００１８】
天板２は、図６に示すように、上面視が長方形の直方体状に形成された３つの構成ユニット４Ａ，４Ｂ，４Ｃを有し、構成ユニット４Ａ，４Ｂ，４Ｃは、図７に示すように、その短手方向（Ｘ−Ｘ方向）に配設されている。
【００１９】
夫々の構成ユニット４Ａ〜４Ｃは、ナラ(オーク材）、ウォールナット、チェリー等の木材を挽き割等して形成した無垢材で構成された板からなる表面材５及び裏面材６を有し、表面材５と裏面材６との間で、かつ、構成ユニットの短手方向、すなわち、構成ユニットの配設方向（Ｘ−Ｘ方向）の両側部には、表面材５及び裏面材６の反りを抑止する第１反り抑止材７が設けられている。
【００２０】
第１反り抑止材７は、天板２における長手方向の表裏方向への曲げに対する強度が強くなるように形成されていることで表面材５及び裏面材６の反りを抑止するようになっている。本実施例では、第１反り抑止材７として、ラワン等の南洋材、ポプラ、カラマツ、スギ等の単板を複数枚、その繊維方向が同一となるように積層し接着した木質軸材料である単板積層材を用い、その単板の側端面が構成ユニットの表裏方向、すなわち、立設した単板を横方向に重合した状態となるように配設した。
【００２１】
表面材５と裏面材６との間で、かつ、第１反り抑止材７，７間には芯材８が設けられている。この芯材８としては、任意の構造のものを用いることができるが、紙、樹脂、アルミニウム等の素材で構成されるとともに、六角形の集合体であるハチの巣状、円柱状の筒を連接したもの、波状に形成したものを連接したものなどのハニカム形状のものを用いることが好ましい。本実施例では、中芯原紙、強化中芯原紙、耐水中芯原紙を波形に連続成形したものを用いた。
【００２２】
第１反り抑止材７及び芯材８における構成ユニットの短手方向（Ｘ−Ｘ方向）全体に亘って、図４，図６に示すように挿入空間１１が形成され、この挿入空間１１は、長手方向、すなわち、構成ユニットの配設方向と直交する方向（Ｙ−Ｙ方向）に、適宜間隔を有して複数形成されている。構成ユニット４Ａ，４Ｂ，４Ｃにおける挿入空間１１の位置は、ほぼ同じ位置に形成されている。また、挿入空間１１の数は、任意設定することができるが、本実施例では構成ユニット４Ａ，４Ｂ，４Ｃに夫々３カ所、対応する位置に形成した。
【００２３】
すなわち、芯材８と第１反り抑止材７は、構成ユニットの長手方向（Ｙ−Ｙ方向）において、所定間隔を有して複数配設され、芯材８と第１反り抑止材７の長手方向（Ｙ−Ｙ方向）における両端の位置は同じになるようになっている。
【００２４】
図７に示すように、３つの構成ユニット４Ａ，４Ｂ，４Ｃを、構成される天板２の短手方向（Ｘ−Ｘ方向）に重合して本体部１３が形成されている。本体部１３において、隣接する構成ユニット４Ａ〜４Ｃの挿入空間１１は相互に連通し、３つの構成用ユニット４Ａ〜４Ｃの挿入空間１１、１１，１１の略全体、すなわち、本体部１３において、配設方向（Ｘ−Ｘ方向）に連通する全ての挿入空間１１，１１，１１に亘って、表面材５及び裏面材６の反りを抑止する第２反り抑止材１７が１本挿通されている。この第２反り抑止材１７は、表面材５、裏面材６等の他の部材に対して固着されておらず、挿入空間１１に対して遊嵌して設けられている。
【００２５】
第２反り抑止材１７は、天板２における短手方向の表裏方向への曲げに対する強度が強くなるように形成されていることで表面材５及び裏面材６の反りを抑止するようになっている。本実施例では、第２反り抑止材１７として、ラワン等の南洋材、ポプラ、カラマツ、スギ等の単板を複数枚、その繊維方向が同一となるように積層し接着した木質軸材料である単板積層材を用い、その単板の側端面が構成ユニットの表裏方向、すなわち、立設した単板を横方向に重合した状態となるように配設した。第１反り抑止材７と第２反り抑止材１７とは、直交するように配設されている。
【００２６】
各構成ユニット４Ａ〜４Ｃにおける長手方向の両端部に位置する芯材８は、図６に示すように、短手方向に２分割し、かつ相互に離間して設けられ、その芯材８と８の間には、脚３を取付けることができる強度を有する板状部材で構成された取付部１２が設けられている。取付部１２には、脚３を取付けるための取付け穴１２ａが所定の位置に複数設けられている。
【００２７】
夫々の構成ユニット４Ａ〜４Ｃの長手方向の両端部で、かつ、表面材５と裏面材６との間には、図３〜図５に示すように、無垢材で形成されるとともに、その木口面１４ａが本体部１３の外側面側から視認できるように配置された木口側部材１４が固設されている。
【００２８】
本体部１３の短手方向の両側部で、かつ、表面材５と裏面材６との間には、図３〜図５に示すように、本体部１３の長手方向（Ｙ−Ｙ方向）全体に亘って、無垢材で形成されるとともに、外側から木端面が視認できるように形成された木端側部材１８が配設されている。なお、第２反り抑止材１７以外の部品は、接着剤等により相互に固定されている。
【００２９】
次に、天板２の製造方法について説明する。
【００３０】
先ず、図６に示すように、３つの構成ユニット４Ａ，４Ｂ，４Ｃを、夫々形成する。
【００３１】
次に、図７に示すように、構成ユニット４Ｂの短手方向の両側部に構成ユニット４Ａと４Ｃを当接するように配設し、隣接する相互の構成ユニットを接着剤等により固着して、本体部１３を形成する。これにより、構成ユニット４Ａ〜４Ｃの配設方向において、隣接する挿入空間１１，１１，１１が相互に連通する。
【００３２】
次に、図７に示すように、本体部１３の短手方向において、３つの構成ユニット４Ａ〜４Ｃに亘って連通している挿入空間１１の略全体に亘って、第２反り抑止材１７を、本実施例においては３カ所の連通する挿入空間に夫々１本ずつ挿通する。この際、第２反り抑止材１７は他の部材に対して固着されず、挿入空間１１において遊嵌している。
【００３３】
次に、本体部１３の短手方向（Ｘ−Ｘ方向）の両側部に、夫々、長手方向（Ｙ−Ｙ方向）の全長に亘る長さを有する木端側部材１８をそれぞれ固着し、天板２となる。
【００３４】
次に、この天板２における取付部１２の取付け穴１２ａを用いて、脚３，３を天板２の下部に固設してテーブル１となる。
【００３５】
上記の構成により、天板２の外面は、無垢材で構成された、表面材５、裏面材６、木口側部材１４、木端側部材１８で覆われ、無垢材以外の芯材や反り抑制部材等は、外部から視認されず、天板２を、無垢材のみで形成された天板の美観や質感に近づけることができるとともに、内部に芯材８を配設したことにより、無垢材のみで構成した天板と比較して軽量化を図り、使用する無垢材の量を減らすことで資源保護、天板２の形状の安定化を図ることができる。
【００３６】
更に、第１反り抑止材７と第２反り抑止材１７を、直交する二方向に配設したことにより、表面材５及び裏面材６の反りをより確実に抑止し、天板２の形状安定化を図ることができる。
【００３７】
更に、第２反り抑止材１７が、挿入空間１１に対して遊嵌されていることにより、表面材５と裏面材６の伸縮等に左右されにくく、表面材５及び裏面材６の反りをより確実に抑止することができる。
【００３８】
更に、天板２内にハニカム状の芯材８を設けたことにより、太鼓のような響き音が生じることを抑制し、重厚感を出すことができる。
【００３９】
更に、１枚の無垢材で構成できる最大幅をこえる幅を有する任意の大きさの天板２の外側を無垢材で形成することができる。
【符号の説明】
【００４０】
２  天板（家具用パネル）
４Ａ〜４Ｃ  構成ユニット
５  表面材  
６  裏面材
７  第１反り抑止材
８  芯材
１１  挿入空間
１３  本体部
１７  第２反り抑止材
【図１】
0006709939.tif 000002
【図２】
0006709939.tif 000003
【図３】
0006709939.tif 000004
【図４】
0006709939.tif 000005
【図５】
0006709939.tif 000006
【図６】
0006709939.tif 000007
【図７】
0006709939.tif 000008